(57)【要約】【課題】運用するネットワークの規模やサービスに応じて、柔軟かつ低コストで構築することが可能なトランスポートシステムを提供する。【解決手段】クライアント回線収容部にスイッチング処理を行うパススイッチをそれぞれ備え、複数のクライアント回線収容部を、それぞれが備えるパススイッチによりメッシュ接続することで小規模クロスコネクト装置を実現する。また複数のクライアント回線収容部を、それぞれが備えるパススイッチにより固定的に接続することでサービスマルチプレクサ装置を実現する。さらに、上記構成にスイッチング容量を拡大するための大規模パススイッチを追加することで大規模なクロスコネクト装置を実現する。【選択図】  図２
2004208034.tif 000002
【特許請求の範囲】
【請求項１】
クライアント毎の多様な伝送データを収容する複数のクライアント回線収容部と、
複数の前記クライアント回線収容部からの設定情報や監視項目を収集する装置監視制御部と、
を有し、時分割多重によりデータを伝送するための通信装置であって、
前記クライアント回線収容部は、
所定単位のデータ毎にスイッチング処理を行うパススイッチをそれぞれ備え、複数の前記クライアント回線収容部が、それぞれが備える前記パススイッチによりメッシュ接続された通信装置。
【請求項２】
クライアント毎の多様な伝送データを収容する複数のクライアント回線収容部と、
複数の前記クライアント回線収容部からの設定情報や監視項目を収集する装置監視制御部と、
を有し、時分割多重によりデータを伝送するための通信装置であって、
前記クライアント回線収容部は、
所定単位のデータ毎にスイッチング処理を行うパススイッチをそれぞれ備え、複数の前記クライアント回線収容部が、それぞれが備える前記パススイッチにより固定的に接続された通信装置。
【請求項３】
スイッチング容量を拡充するための大容量スイッチ部を有する請求項２記載の通信装置。
【請求項４】
複数の前記クライアント回線収容部のうち、少なくとも１つがＳＯＮＥＴ／ＳＤＨで規定されたフォーマットのデータを収容するＳＯＮＥＴ／ＳＤＨ回線収容部である請求項１乃至３のいずれか１項記載の通信装置。
【請求項５】
前記パススイッチは、
ｎを正の整数としたとき、
受信データをｎ個の他のクライアント回線収容部へ分配するための１：ｎ分配回路と、
ｎ個の他のクライアント回線収容部からの受信データの中から指定されたデータを選択して出力するｎ：１選択回路と、
を有する請求項１乃至４のいずれか１項記載の通信回路。
【請求項６】
時分割多重によりデータを伝送するためのトランスポートシステムであって、
請求項１または３に記載の通信装置から成る、伝送データの中継・終端・スイッチングを行うクロスコネクト装置と、
ネットワークのエッジにそれぞれ配置される、クライアント毎に伝送データの多重化、分離を行う請求項２に記載の通信装置から成る、サービスマルチプレクサ装置と、
を有するトランスポートシステム。
【発明の詳細な説明】
【０００１】
【発明の属する技術分野】
本発明は、多様なフォーマットからなる伝送データを多重化して伝送するための通信装置及びトランスポートシステムに関する。
【０００２】
【従来の技術】
ＷＡＮ（Wide Area Network）等の既存のネットワークを利用する、時分割多重によりデータを伝送するためのトランスポートシステムは、通常、伝送データの中継・終端・スイッチングを行うクロスコネクト（ＸＣ：path crossing connect）装置と、ネットワークのエッジにそれぞれ配置される、クライアント毎に伝送データの多重化、分離を行うサービスマルチプレクサ（ＳＭＸ：Service multiplexer）装置とによって構築される。
【０００３】
クロスコネクト装置及びサービスマルチプレクサ装置は、多様なフォーマットの伝送データを収容するインタフェースである複数の回線収容部を備えている。
【０００４】
回線収容部は、例えば、ＳＯＮＥＴ（Synchronous Optical Network）で規定された多重化フォーマットであるＳＴＳ（Synchronous Transport Signal）フォーマットまたはＳＤＨ（Synchronous Digital Hierarchy）で規定された多重化フォーマットであるＳＴＭ（Synchronous Transfer Module）フォーマットの伝送データを収容するＳＴＳ／ＳＴＭインタフェースカード、ＰｏＳ(Packet OverSonet)フォーマットの伝送データを収容するＰｏＳインタフェースカード、Ｅｔｈｅｒｎｅｔフォーマットの伝送データを収容するＥｔｈｅｒｎｅｔインタフェースカード等によって構成される。
【０００５】
なお、クロスコネクト装置の詳細については、例えば特許文献１に記載されている。
【０００６】
【特許文献１】
特開２００１−１６６２５号公報
【０００７】
【発明が解決しようとする課題】
上述したサービスマルチプレクサ装置及びクロスコネクト装置が備える回線収容部は基本的に同一の機能を備えている。したがって、サービスマルチプレクサ装置とクロスコネクト装置とを共用化できればトランスポートシステムの大幅なコストの低減が期待できる。
【０００８】
しかしながら、従来のクロスコネクト装置は、スイッチング処理を行うためのスイッチ部を回線収容部とは別に備えているため、サービスマルチプレクサ装置とクロスコネクト装置の共用化を実現するアーキテクチャは採用されていなかった。
【０００９】
また、上述した従来のトランスポートシステムが有するクロスコネクト装置やサービスマルチプレクサ装置では、要求されたサービスを満たすシステムを柔軟に構築できないため、特に小規模なトランスポートシステムを構築する場合に、システムのコストが増大する問題があった。
【００１０】
本発明は上記したような従来の技術が有する問題点を解決するためになされたものであり、運用するネットワークの規模やサービスに応じて、柔軟かつ低コストで構築することが可能なトランスポートシステムを提供することを目的とする。
【００１１】
【課題を解決するための手段】
上記目的を達成するため本発明の通信装置は、クライアント毎の多様な伝送データを収容する複数のクライアント回線収容部と、
複数の前記クライアント回線収容部からの設定情報や監視項目を収集する装置監視制御部と、
を有し、時分割多重によりデータを伝送するための通信装置であって、
前記クライアント回線収容部は、
所定単位のデータ毎にスイッチング処理を行うパススイッチをそれぞれ備え、複数の前記クライアント回線収容部が、それぞれが備える前記パススイッチによりメッシュ接続された構成である。
【００１２】
または、クライアント毎の多様な伝送データを収容する複数のクライアント回線収容部と、
複数の前記クライアント回線収容部からの設定情報や監視項目を収集する装置監視制御部と、
を有し、時分割多重によりデータを伝送するための通信装置であって、
前記クライアント回線収容部は、
所定単位のデータ毎にスイッチング処理を行うパススイッチをそれぞれ備え、複数の前記クライアント回線収容部が、それぞれが備える前記パススイッチにより固定的に接続された構成であり、該構成に加えてスイッチング容量を拡充するための大容量スイッチ部を有する構成である。
【００１３】
ここで、複数の前記クライアント回線収容部のうち、少なくとも１つがＳＯＮＥＴ／ＳＤＨで規定されたフォーマットのデータを収容するＳＯＮＥＴ／ＳＤＨ回線収容部であってもよく、
前記パススイッチは、
ｎを正の整数としたとき、
受信データをｎ個の他のクライアント回線収容部へ分配するための１：ｎ分配回路と、
ｎ個の他のクライアント回線収容部からの受信データの中から指定されたデータを選択して出力するｎ：１選択回路と、
を有していてもよい。
【００１４】
上記のように構成された通信装置は、クライアント回線収容部に所定単位のデータ毎にスイッチング処理を行うパススイッチをそれぞれ備え、複数のクライアント回線収容部が、それぞれが備えるパススイッチによりメッシュ接続された構成とすることで、小規模なクロスコネクト装置として用いることができるため、本通信装置だけで小規模なトランスポートシステムを構築できる。
【００１５】
また、クライアント回線収容部に、所定単位のデータ毎にスイッチング処理を行うパススイッチをそれぞれ備え、複数のクライアント回線収容部を、それぞれが備えるパススイッチにより固定的に接続することでサービスマルチプレクサ装置として用いることができる。
【００１６】
さらに、スイッチング容量を拡大するための大規模パススイッチを追加することで大規模なクロスコネクト装置として用いることができる。
【００１７】
【発明の実施の形態】
次に本発明について図面を参照して説明する。
【００１８】
図１は本発明の通信装置を用いるトランスポートシステムの一構成例を示すブロック図である。
【００１９】
図１に示すように、本発明のトランスポートシステムは、クロスコネクト装置として、小規模クロスコネクト（Ｓ−ＸＣ：Small-scale path crossing connect）装置１及び大規模クロスコネクト（Ｂ−ＸＣ：Big-scale path crossing connect）装置２を備え、サービスマルチプレクサ装置として、低速サービスマルチプレクサ（Ｌ−ＳＭＸ：Low-speed Service multiplexer）装置３及び高速サービスマルチプレクサ（Ｈ−ＳＭＸ：High-speed Service multiplexer）装置４を備えた構成である。
【００２０】
小規模クロスコネクト装置１は、小容量のスイッチング処理を行う小型、軽量、低消費電力、及び省スペースなクロスコネクト装置であり、比較的小規模なトランスポートシステムは小規模クロスコネクト装置１のみで構築することができる。また、大規模クロスコネクト装置２は、大規模なトランスポートシステムの根幹となる大容量のスイッチング処理を行うクロスコネクト装置であり、主として局舎や中心的な拠点に配備される。
【００２１】
サービスマルチプレクサ装置は、回線速度に対応して低速サービスマルチプレクサ装置３と高速サービスマルチプレクサ装置４とに分類される。低速サービスマルチプレクサ装置３は比較的多重化数が少ない低次群データフレームに対応して多重化処理や分離処理を実行し、高速サービスマルチプレクサ装置４は多重化数が多い高次群データフレームに対応して多重化処理や分離処理を実行する。これらはユーザ宅に設置することも可能である。
【００２２】
本発明では、受信データをｎ（ｎは正の整数）個の他の回線収容部へ分配するための１：ｎの分配回路と、ｎ個の他の回線収容部からの受信データの中から指定されたデータを選択して出力するｎ：１の選択回路とを有する小容量スイッチ部を回線収容部内に備えることで、小規模クロスコネクト装置１を実現する。また、大規模なトランスポートシステムを構築する場合は、上記小容量スイッチ部を備えた回線収容部を増設すると共に、従来と同様に大容量のスイッチ部を追加することでスイッチング容量を拡張し、大規模クロスコネクト装置２を実現する。さらに、本発明では回線収容部が有する小容量スイッチ部の物理接続または回線接続を固定することで低速サービスマルチプレクサ装置３及び高速サービスマルチプレクサ装置４を実現する。
【００２３】
すなわち、本発明の通信装置は、小規模クロスコネクト装置１、大規模クロスコネクト装置２、低速サービスマルチプレクサ装置３、及び高速サービスマルチプレクサ装置４で共用できる構成である。
【００２４】
（第１実施例）
図２は本発明の通信装置の第１実施例の構成を示すブロック図であり、図３は図２に示したパススイッチの構成を示す模式図である。
【００２５】
図２に示すように、第１実施例の通信装置は、クライアント毎の多様な伝送データを収容するクライアント回線収容部５と、複数のクライアント回線収容部５からの設定情報や監視項目を収集する装置監視制御部６とを有し、クライアント回線収容部５と装置監視制御部６とが監視制御バス７を介して接続された構成である。なお、図２に示すクライアント回線収容部５は、ＳＴＳ、ＳＴＭ、ＰｏＳ、Ｅｔｈｅｒｎｅｔ等のフォーマットに対応するインタフェースカードから成る回線収容部の総称である。
【００２６】
本実施例のクライアント回線収容部５は、例えば、ｎ×ＳＴＳ−３（約１５０Ｍｂｐｓ）単位でスイッチング処理を行うパススイッチ（小容量スイッチ部）１１をそれぞれ備え、複数のクライアント回線収容部５がそれぞれのパススイッチ１１によりメッシュ接続された構成である。
【００２７】
したがって、図２に示す本実施例の通信装置は、小規模クロスコネクト装置として用いることができる。なお、ＳＴＳ−３は上記ＳＯＮＥＴで規定された多重化フォーマットである。また、図２に示した通信装置は、４つのクライアント回線収容部５を有する構成を示しているが、クライアント回線収容部５の数はトランスポートシステムの規模に応じて決定されるものであり、２つ以上であればいくつであってもよい。
【００２８】
クライアント回線収容部５は、収容したクライアント毎の伝送データを終端するクライアント終端回路（ＰＨＹ）１２と、収容した伝送データの伝送単位である各フレームをそれぞれ認識する収容フレーム認識部１３と、フレームを構成するパス毎に対応するチャネルへそれぞれマッピングするパス生成・終端部１４と、ＳＴＳ−３単位のスイッチング処理を行う上記パススイッチ１１とを有する構成である。クライアント回線収容部５は、双方向の処理が可能であり、送信側のクライアント回線収容部５では、パススイッチ１１によってスイッチングされたデータにパス生成・終端部１４でオーバーヘッダ等が付加され、収容フレーム認識部１３でフレーム化された後、クライアント終端回路（ＰＨＹ）１２を介して通信相手先へ送信される。
【００２９】
図３に示すように、本実施例のパススイッチは、自身と同じクライアント回線収容部５に所属する回線パス生成・終端部（自回線パス生成・終端部）１４から受信したデータを他のクライアント回線収容部（他回線収容部）１４に分配(コピー配信)する分配回路１１１と、他回線収容部の受信データから指定されたパスを選択し、自回線パス生成・終端部に送信する選択回路１１２とを有する構成である。なお、図３に示すパススイッチは、図２に示した４つのクライアント回線収容部５を有する小規模クロスコネクト装置で用いられ、自局内でデータを折り返し送信する場合も想定しているため、１：４の分配回路１１１と４：１の選択回路１１２とを備えている。また、図３に示したパススイッチは、４つのクライアント回線収容部５が備えたパススイッチ１１の機能をまとめて示した図である。
【００３０】
以上説明したように、本実施例の通信装置は小規模クロスコネクト装置として用いることができるため、本実施例の通信装置だけで小規模なトランスポートシステムを構築できる。
【００３１】
（第２実施例）
図４は本発明の通信装置の第２実施例の構成を示すブロック図である。
【００３２】
第２実施例の通信装置は、図２に示した４つのクライアント回線収容部のうち、２つのクライアント回線収容部をＳＴＳ／ＳＴＭフォーマットに対応するＳＯＮＥＴ／ＳＤＨ回線収容部８に置き換えた構成である。
【００３３】
ＳＯＮＥＴ／ＳＤＨ回線収容部８は、図２に示したクライアント回線収容部と同様に複数のパススイッチ２１を備え、複数のクライアント回線収容部及びＳＯＮＥＴ／ＳＤＨ回線収容部８がそれぞれのパススイッチによりメッシュ接続された構成である。
【００３４】
図４に示すように、ＳＯＮＥＴ／ＳＤＨ回線収容部８は、光信号から成るクライアント毎の伝送データを収容あるいは送信する光・電気変換部（Ｅ／Ｏ，Ｏ／Ｅ）２２と、収容された伝送データを終端するＳＯＮＥＴセクション生成・終端部２３と、受信データを対応するチャネルへそれぞれマッピングするＳＯＮＥＴパス生成・終端部２４とを有する構成である。
【００３５】
なお、ＳＯＮＥＴ／ＳＤＨ回線収容部８はクライアント回線収容部と同様に双方向の処理が可能である。また、ＳＯＮＥＴパス生成・終端部１４によるマッピング時のフレームアライメント方法は、ＳＯＮＥＴのポインタが示すＪ１バイトの次バイトを中間フレームの先頭と認識する周知のVirtual concatenationによる多重化方式(Byre Interleave)と同等である。
【００３６】
本実施例の通信装置によれば、小規模クロスコネクト装置（SONET interworking unit）として用いることが可能であり、既存のＳＯＮＥＴ／ＳＤＨ網と相互接続が可能になる。
【００３７】
（第３実施例）
図５は本発明の通信装置の第３実施例の構成を示すブロック図であり、図６は図５に示したパススイッチの構成を示す模式図である。
【００３８】
図５に示すように、第３実施例の通信装置は、図４に示した第２実施例のクライアント回線収容部が有するパススイッチ１１ａとＳＯＮＥＴ／ＳＤＨ回線収容部が有するパススイッチ２１ａ間の物理接続、または回線接続を固定した構成である。すなわち、本実施例の通信装置はクライアント回線収容部とＳＯＮＥＴ／ＳＤＨ回線収容部間のみが固定的に接続された、サービスマルチプレクサ装置を実現している。
【００３９】
図６に示すように、本実施例のパススイッチは、図３に示した第１実施例の構成のうち、破線で示した結線を未接続とした構成である。なお、図６に示したパススイッチは、２つのクライアント回線収容部が備えたパススイッチと２つのＳＯＮＥＴ／ＳＤＨ回線収容部が備えたパススイッチの機能をまとめて示した図である。
【００４０】
本実施例の通信装置は、クロスコネクト装置として用いる場合と比較して不要な配線を削除しただけでサービスマルチプレクサ装置を実現できる。
【００４１】
したがって、本発明の通信装置は、サービスマルチプレクサ装置とクロスコネクト装置とで回路構成を共用化することが可能であり、規模やサービスに応じたトランスポートシステムを柔軟に、かつ低コストで実現できる。
【００４２】
（第４実施例）
図７は本発明の通信装置の第４実施例の構成を示すブロック図であり、図８は図７に示したパススイッチの構成を示す模式図である。
【００４３】
図７に示すように、第４実施例の通信装置は、第３実施例で示したクライアント回線収容部５及びＳＯＮＥＴ／ＳＤＨ回線収容部８を多数備え、スイッチング容量を拡大するための大規模パススイッチ９を追加した構成である。また、増設されたクライアント回線収容部５及びＳＯＮＥＴ／ＳＤＨ回線収容部８と大規模パススイッチ９とは、監視制御バス７によりそれぞれ装置監視制御部と接続される。
【００４４】
クライアント回線収容部５及びＳＯＮＥＴ／ＳＤＨ回線収容部８が有するパススイッチは、第３実施例と同様にパススイッチ間の物理接続、または回線接続が固定された構成であり、大規模パススイッチ９と各回線収容部のパススイッチとを図８に示すように接続することで、大規模クロスコネクト装置を実現できる。
【００４５】
図８に示すように、大規模パススイッチ９の冗長構成(図８に示す構成では、二重化を仮定)を考慮すれば、各回線収容部が備えるパススイッチは、１：２の分配回路と、２：１選択回路のみを備えればよい。
【００４６】
したがって、本発明の通信装置は、回線収容部を置き換えることなく大規模パススイッチを追加するだけでスイッチング容量を拡充できるため、大規模なトランスポートシステムを低コストで構築できる。
【００４７】
【発明の効果】
本発明は以上説明したように構成されているので、以下に記載する効果を奏する。
【００４８】
クライアント回線収容部に所定単位のデータ毎にスイッチング処理を行うパススイッチをそれぞれ備え、複数のクライアント回線収容部が、それぞれが備えるパススイッチによりメッシュ接続された構成とすることで、小規模なクロスコネクト装置として用いることができるため、本通信装置だけで小規模なトランスポートシステムを構築できる。
【００４９】
また、クライアント回線収容部に、所定単位のデータ毎にスイッチング処理を行うパススイッチをそれぞれ備え、複数のクライアント回線収容部を、それぞれが備えるパススイッチにより固定的に接続することでサービスマルチプレクサ装置として用いることができる。
【００５０】
さらに、スイッチング容量を拡大するための大規模パススイッチを追加することで大規模なクロスコネクト装置として用いることができる。
【００５１】
したがって、本発明の通信装置は、サービスマルチプレクサ装置とクロスコネクト装置とで回路構成を共用化することが可能であり、規模やサービスに応じたトランスポートシステムを柔軟に、かつ低コストで実現できる。
【００５２】
また、回線収容部を置き換えることなく大規模パススイッチを追加するだけで大規模なトランスポートシステムを低コストで構築できる。
【図面の簡単な説明】
【図１】本発明の通信装置を用いるトランスポートシステムの一構成例を示すブロック図である。
【図２】本発明の通信装置の第１実施例の構成を示すブロック図である。
【図３】図２に示したパススイッチの構成を示す模式図である。
【図４】本発明の通信装置の第２実施例の構成を示すブロック図である。
【図５】本発明の通信装置の第３実施例の構成を示すブロック図である。
【図６】図５に示したパススイッチの構成を示す模式図である。
【図７】本発明の通信装置の第４実施例の構成を示すブロック図である。
【図８】図７に示したパススイッチの構成を示す模式図である。
【符号の説明】
１    小規模クロスコネクト装置
２    大規模クロスコネクト装置
３    低速サービスマルチプレクサ装置
４    高速サービスマルチプレクサ装置
５    クライアント回線収容部
６    装置監視制御部
７    監視制御バス
８    ＳＯＮＥＴ／ＳＤＨ回線収容部
９    大規模パススイッチ
１１、１１ａ、２１、２１ａ    パススイッチ
１２    クライアント終端回路
１３    収容フレーム認識部
１４    パス生成・終端部
２２    光・電気変換部
２３    ＳＯＮＥＴセクション生成・終端部
２４    ＳＯＮＥＴパス生成・終端部
１１１    分配回路
１１２    選択回路
【図１】
2004208034.tif 000003
【図２】
2004208034.tif 000004
【図３】
2004208034.tif 000005
【図４】
2004208034.tif 000006
【図５】
2004208034.tif 000007
【図６】
2004208034.tif 000008
【図７】
2004208034.tif 000009
【図８】
2004208034.tif 000010